(57)【要約】【課題】  作業空間の快適性を向上させる。【解決手段】  ユーザの作業空間における作業環境を制御する空調機器１３０、照明機器１４０を管理する機器管理装置１１０であって、前記ユーザと前記作業空間における作業環境を示すパラメータとの対応関係を格納した格納手段と、前記作業空間を撮影することにより取得された撮影画像に基づいて、前記作業空間にいるユーザを特定する特定手段と、前記パラメータのうち、前記特定手段により特定されたユーザに対応付けて格納されたパラメータを用いて、前記撮影された作業空間における作業環境を制御するための設定値を算出する算出手段と、前記算出手段により算出された設定値を、前記撮影された作業空間における作業環境を制御する機器に制御情報として送信する送信手段とを有することを特徴とする。【選択図】図１
2015087102.tif 000002
【特許請求の範囲】
【請求項１】
ユーザの作業空間における作業環境を制御する機器を管理する機器管理装置であって、
前記ユーザと前記作業空間における作業環境を示すパラメータとの対応関係を格納した格納手段と、
前記作業空間を撮影することにより取得された撮影画像に基づいて、前記作業空間にいるユーザを特定する特定手段と、
前記パラメータのうち、前記特定手段により特定されたユーザに対応付けて格納されたパラメータを用いて、前記撮影された作業空間における作業環境を制御するための設定値を算出する算出手段と、
前記算出手段により算出された設定値を、前記撮影された作業空間における作業環境を制御する機器に送信する送信手段と
を有することを特徴とする機器管理装置。
【請求項２】
前記特定手段は、前記格納手段に前記ユーザごとに格納された顔画像と、前記撮影画像より抽出された顔領域の画像とに基づいて、前記作業空間にいるユーザを特定することを特徴とする請求項１に記載の機器管理装置。
【請求項３】
前記ユーザの作業空間を指定する指定手段と、
前記指定手段により指定された作業空間における作業環境を制御する機器があるか否かを判定する第１の判定手段と、を更に有し、
前記第１の判定手段により、前記指定された作業空間における作業環境を制御する機器があると判定された場合に、当該指定された作業空間の撮影画像を取得することを特徴とする請求項１または２に記載の機器管理装置。
【請求項４】
前記特定手段により特定されたユーザに対応付けて、前記格納手段に前記パラメータが格納されているか否かを判定する第２の判定手段を更に備えることを特徴とする請求項１乃至３のいずれか１項に記載の機器管理装置。
【請求項５】
前記第２の判定手段により、前記格納手段に前記パラメータが格納されていないと判定された場合には、デフォルト値を用いて、前記撮影された作業空間における作業環境を制御するための設定値を算出することを特徴とする請求項４に記載の機器管理装置。
【請求項６】
前記算出手段は、前記特定手段により特定されたユーザが複数いる場合には、各ユーザに対応付けて格納された前記パラメータの平均値を用いて、前記撮影された作業空間における作業環境を制御するための設定値を算出することを特徴とする請求項１乃至５のいずれか１項に記載の機器管理装置。
【請求項７】
前記算出手段は、前記特定手段により特定されたユーザが複数いる場合には、各ユーザに対応付けて格納された前記パラメータのうち、重み情報のレベルが高いパラメータを用いて、前記撮影された作業空間における作業環境を制御するための設定値を算出することを特徴とする請求項１乃至５のいずれか１項に記載の機器管理装置。
【請求項８】
前記作業環境を示すパラメータには、前記作業空間における温度、照度の情報を含むことを特徴とする請求項１乃至７のいずれか１項に記載の機器管理装置。
【請求項９】
ユーザの作業空間における作業環境を制御する機器と、該作業空間を撮影する撮像部と、該機器を管理する機器管理装置とを有する機器管理システムであって、
前記ユーザと前記作業空間における作業環境を示すパラメータとの対応関係を格納した格納手段と、
前記撮像部が前記作業空間を撮影することにより取得された撮影画像に基づいて、前記作業空間にいるユーザを特定する特定手段と、
前記パラメータのうち、前記特定手段により特定されたユーザに対応付けて格納されたパラメータを用いて、前記撮影された作業空間における作業環境を制御するための設定値を算出する算出手段と、
前記算出手段により算出された設定値を、前記撮影された作業空間における作業環境を制御する機器に送信する送信手段と
を有することを特徴とする機器管理システム。
【請求項１０】
ユーザの作業空間における作業環境を制御する機器と、該作業空間を撮影する撮像部と、該機器を管理する機器管理装置とを有する機器管理システムの制御方法であって、
前記ユーザと前記作業空間における作業環境を示すパラメータとの対応関係を保持する保持工程と、
前記撮像部が前記作業空間を撮影することにより取得された撮影画像に基づいて、前記作業空間にいるユーザを特定する特定工程と、
前記保持工程で保持しているパラメータのうち、前記特定工程において特定されたユーザに対応付けて保持されたパラメータを用いて、前記撮影された作業空間における作業環境を制御するための設定値を算出する算出工程と、
前記算出工程において算出された設定値を、前記撮影された作業空間における作業環境を制御する機器に送信する送信工程と
を有することを特徴とする機器管理システムの制御方法。
【請求項１１】
ユーザの作業空間における作業環境を制御する機器を管理するコンピュータに、
前記ユーザと前記作業空間における作業環境を示すパラメータとの対応関係を保持する保持工程と、
前記作業空間を撮影することにより取得された撮影画像に基づいて、前記作業空間にいるユーザを特定する特定工程と、
前記保持工程で保持しているパラメータのうち、前記特定工程において特定されたユーザに対応付けて保持されたパラメータを用いて、前記撮影された作業空間における作業環境を制御するための設定値を算出する算出工程と、
前記算出工程において算出された設定値を、前記撮影された作業空間における作業環境を制御する機器に送信する送信工程と
を実行させることを特徴とするプログラム。
【発明の詳細な説明】
【技術分野】
【０００１】
本発明は機器管理システム、機器管理装置、制御方法及びプログラムに関する。
【背景技術】
【０００２】
従来より、オフィス内の各作業空間における消費電力の削減を目的として、空調機器や照明機器等の各種機器の動作を管理する機器管理システムが知られている（例えば、特許文献１参照）。当該機器管理システムによれば、オフィスにおける消費電力を確実に抑えることができる。
【発明の概要】
【発明が解決しようとする課題】
【０００３】
しかしながら、従来の機器管理システムの場合、各作業空間における温度や照度等の作業環境が、消費電力削減の観点から制御されているため、当該作業空間にいる従業者（ユーザ）にとっては、必ずしも快適な温度及び照度等となっていなかった。
【０００４】
一方で、オフィス内の各作業空間における温度や照度等の作業環境についての嗜好は、従業者ごとに異なっており、特定の従業者にとって快適な温度や照度等が、他の従業者にとっても快適な温度や照度等であるとは限らない。また、例えば、色弱者にとっては、見えやすい照度があるなど、従業者ごとに属性があるため、消費電力削減の観点から一律に温度や照度等の作業環境が制御されることは妥当ではない。
【０００５】
このようなことから、オフィス内の各作業空間における温度や照度等の従業者の作業環境を制御するにあたっては、従業者の嗜好や属性等を加味することで、個々の従業者の快適性をより向上させることができるようになると考えられる。
【０００６】
本発明は上記課題に鑑みてなされたものであり、作業空間の快適性を向上させることを目的とする。
【課題を解決するための手段】
【０００７】
本発明の実施形態に係る機器管理装置は、以下のような構成を有する。すなわち、
ユーザの作業空間における作業環境を制御する機器を管理する機器管理装置であって、
前記ユーザと前記作業空間における作業環境を示すパラメータとの対応関係を格納した格納手段と、
前記作業空間を撮影することにより取得された撮影画像に基づいて、前記作業空間にいるユーザを特定する特定手段と、
前記パラメータのうち、前記特定手段により特定されたユーザに対応付けて格納されたパラメータを用いて、前記撮影された作業空間における作業環境を制御するための設定値を算出する算出手段と、
前記算出手段により算出された設定値を、前記撮影された作業空間における作業環境を制御する機器に送信する送信手段とを有することを特徴とする。
【発明の効果】
【０００８】
本発明の各実施形態によれば、作業空間の快適性を向上させることが可能となる。
【図面の簡単な説明】
【０００９】
【図１】実施形態に係る機器管理システムの全体構成を示す図である。
【図２】実施形態に係る機器管理装置のハードウェア構成を示す図である。
【図３】機器管理装置に格納される従業者情報の一例を示す図である。
【図４】機器管理装置に格納されるレイアウト情報の一例を示す図である。
【図５】機器管理装置における機器管理処理の流れを示すフローチャートである。
【図６】制御領域における空調制御区域及び照明制御区域を示す図である。
【図７】顔認識部による顔認識処理の流れを示すフローチャートである。
【図８】撮影画像の一例を示す図である。
【図９】制御領域にいる従業者の識別番号を示す図である。
【図１０】環境管理部による環境管理処理の流れを示すフローチャートである。
【図１１】制御領域にいる従業者が登録した適正温度及び適正照度を示す図である。
【図１２】制御領域の各制御区域における目標温度及び目標照度を示す図である。
【図１３】機器制御部による機器制御処理の流れを示すフローチャートである。
【図１４】機器管理部の他の機能構成を示す図である。
【発明を実施するための形態】
【００１０】
以下、本発明の実施形態について添付の図面を参照しながら説明する。なお、本明細書及び図面において、実質的に同一の機能構成を有する構成要素については、同一の符号を付することにより重複した説明を省く。
【００１１】
［第１の実施形態］
＜機器管理システムの全体構成＞
はじめに、本実施形態に係る機器管理システムの全体構成について説明する。図１は、機器管理システム１００の全体構成を示す図である。
【００１２】
図１に示すように、機器管理システム１００は、機器管理装置１１０と、テレビ会議システム１２０と、空調機器１３０と、照明機器１４０とを備えており、それぞれの装置及び機器は、ネットワーク１５０を介して接続されている。なお、テレビ会議システム１２０と、空調機器１３０と、照明機器１４０とは、従業者の作業環境についての制御が行われる所定の制御領域（例えば、オフィス内の所定の会議室等の作業空間）に設置されているものとする。
【００１３】
機器管理装置１１０は、テレビ会議システム１２０により撮影された撮影画像をネットワーク１５０を介して受信し、当該撮影画像を処理する。また、テレビ会議システム１２０と同じ制御領域に設置され、当該制御領域における従業者の作業環境を制御する空調機器１３０、照明機器１４０に対して、当該撮影画像の処理結果に応じた制御情報を送信する。
【００１４】
テレビ会議システム１２０は撮像部を有し、テレビ会議システム１２０が設置された制御領域にいる従業者（ユーザ）を撮影し、撮影画像を機器管理装置１１０に送信する。なお、機器管理システム１００では、制御領域にいる従業者を撮影する機能を有する通信可能な撮像部が当該制御領域に設置されていればよく、テレビ会議システムに限定されるものではない。
【００１５】
ただし、制御領域が会議室である場合、既にテレビ会議システムが設置されていることも多く、機器管理システム１００を構築するにあたり、当該テレビ会議システムを流用すれば、別途、撮像部を設置し、ネットワーク１５０に接続させる必要がない。つまり、機器管理システム１００の構築に際して、テレビ会議システムを流用することで初期コストを抑制できるといった利点がある。
【００１６】
空調機器１３０は、制御領域の温度を制御するための機器であり、機器管理装置１１０より送信された制御情報に基づいて動作する。なお、１つの制御領域内において、空調機器１３０は、１つに限られず、複数設置されていてもよい。
【００１７】
照明機器１４０は、制御領域の照度を制御するための機器であり、機器管理装置１１０より送信された制御情報に基づいて動作する。なお、１つの制御領域内において、照明機器１４０は、１つに限られず、複数設置されていてもよい。
【００１８】
＜機器管理装置の構成＞
次に、機器管理装置１１０のハードウェア構成について説明する。図２は、機器管理装置１１０のハードウェア構成を示す図である。
【００１９】
図２に示すように、機器管理装置１１０は、ＣＰＵ（Central Processing Unit）２０１、ＲＯＭ（Read Only Memory）２０２、ＲＡＭ（Random Access Memory）２０３、記憶装置２０４を備える。更に、入出力部２０５、通信部２０６を備える。なお、機器管理装置１１０の各部は、バス２０７を介して相互に接続されているものとする。
【００２０】
ＣＰＵ２０１は、記憶装置２０４に格納された、機器管理部２１０として機能するプログラムを実行するコンピュータである。ＣＰＵ２０１が、機器管理部２１０として機能するプログラムを実行することにより、機器管理装置１１０では、指定された制御領域に設置されたテレビ会議システム１２０より撮影画像を受信する。更に、受信した撮影画像を処理し、処理結果に応じた制御情報を当該制御領域の空調機器１３０及び照明機器１４０に対して送信する。
【００２１】
ＲＯＭ２０２は不揮発性メモリである。ＲＯＭ２０２は、機器管理部２１０として機能するプログラムを、ＣＰＵ２０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００２２】
ＲＡＭ２０３は、ＤＲＡＭ（Dynamic Random Access Memory）やＳＲＡＭ（Static Random Access Memory）等の主記憶装置である。ＲＡＭ２０３は、機器管理部２１０として機能するプログラムがＣＰＵ２０１によって実行される際に展開される、作業領域として機能する。
【００２３】
記憶装置２０４は、機器管理部２１０として機能するプログラム及び従業者情報２２０、レイアウト情報２３０を格納（保持）する。
【００２４】
機器管理部２１０は、更に、顔認識部２１１、環境管理部２１２、機器制御部２１３を有し、それぞれ、顔認識処理、環境管理処理、機器制御処理を実行する。なお、顔認識部２１１による顔認識処理、環境管理部２１２による環境管理処理、機器制御部２１３による機器制御処理の詳細は後述する。
【００２５】
従業者情報２２０は、オフィスにいる全従業者を管理するデータベースである。図３は、従業者情報２２０の一例を示す図である。図３に示すように、従業者情報２２０には、全従業者の識別番号３００、顔画像３０１、属性情報３０２、適正温度３０３、適正温度の重み情報３０４、適正照度３０５、適正照度の重み情報３０６が登録されている。
【００２６】
属性情報３０２は、各従業者の氏名、所属部署、役職、年齢等の属性情報が登録されている（また、あわせて"色弱者"等の属性情報も登録されている）。適正温度３０３には、各従業者が快適と感じる適正温度が登録されている。適正温度の重み情報３０４には、各従業者が登録した適正温度の重み情報が５段階で登録されている。具体的には、レベル"５"が最も高く、レベル"１"が最も低い。重み情報のレベルは高いほど優先されるように構成されているものとする。
【００２７】
適正照度３０５には、各従業者が快適と感じる適正照度が登録されている。適正照度の重み情報３０６には、各従業者が登録した適正照度の重み情報が５段階で登録されている。具体的には、レベル"５"が最も高く、レベル"１"が最も低い。重み情報のレベルは高いほど優先されるように構成されているものとする。例えば、識別番号"４"の従業者は色弱者で、見えやすい照度が決まっているため、重み情報３０６のレベルは"５"となっている。
【００２８】
従業者情報２２０は、機器管理部２１０が、テレビ会議システム１２０より受信した撮影画像に基づいて制御領域にいる従業者を特定する際に用いられる。また、空調機器１３０や照明機器１４０を制御するための制御情報（照度設定値、温度設定値）を算出するにあたり、当該制御領域にいる従業者が所望する作業環境を示すパラメータ（適正温度及び適正照度）として参照される。つまり、従業者情報２２０は、従業者と従業者が所望する作業環境を示すパラメータとの対応関係を示すデータベースとして利用される。
【００２９】
レイアウト情報２３０は、制御領域のレイアウトを示す情報である。図４は、制御領域の一例である会議室のレイアウトを示す図である。図４に示すようにレイアウト情報２３０は、制御領域に設置されたテレビ会議システム１２０、テーブル、いす等のレイアウトを示す機器レイアウト情報２３１を含む。更に、空調機器１３０のレイアウトを示す空調レイアウト情報２３２と、照明機器１４０のレイアウトを示す照明レイアウト情報２３３とを含む。
【００３０】
レイアウト情報２３０は、機器管理部２１０が、制御領域にいる従業者の位置を特定する際に用いられる。また、空調機器１３０の温度設定値や照明機器１４０の照度設定値を算出する際に用いられる。
【００３１】
図２の説明に戻る。入出力部２０５は、機器管理装置１１０に対して各種指示を入力したり、機器管理装置１１０の内部状態を表示したりする。
【００３２】
通信部２０６は、ネットワーク１５０を介して、テレビ会議システム１２０が送信する撮影画像を受信する。また、受信した撮影画像を処理することにより算出された制御情報（温度設定値、照度設定値）を、ネットワーク１５０を介して空調機器１３０及び照明機器１４０に送信する。
【００３３】
＜機器管理装置による機器管理処理の流れ＞
次に、機器管理装置１１０による機器管理処理の流れについて説明する。図５は、機器管理装置１１０による機器管理処理の流れを示すフローチャートである。機器管理装置１１０において、機器管理部２１０として機能するプログラムが実行されると、図５に示すフローチャートが実行される。
【００３４】
ステップＳ５０１では、入出力部２０５が制御領域の指定を受け付ける。オフィス内には、複数の制御領域があるものとし、ステップＳ５０１では、当該複数の制御領域のうち、機器管理処理の対象となる制御領域の指定を受け付ける。
【００３５】
ステップＳ５０２では、指定された制御領域のレイアウト情報２３０を読み出す。更に、ステップＳ５０３では、読み出したレイアウト情報２３０に基づいて、指定された制御領域に制御可能な機器が存在するか否かを判定する。
【００３６】
ステップＳ５０３において、指定された制御領域に制御可能な機器が存在しないと判定した場合には、機器管理処理を終了する。一方、ステップＳ５０３において、指定された制御領域に制御可能な機器が存在すると判定した場合には、ステップＳ５０４に進む。
【００３７】
ここで、レイアウト情報２３０に含まれる空調レイアウト情報２３２及び照明レイアウト情報２３３には、制御可能な機器として、複数の空調機器１３０及び複数の照明機器１４０が記載されている。このため、ステップＳ５０３では、制御領域に制御可能な機器が存在すると判定される。
【００３８】
ステップＳ５０４では、ステップＳ５０２において読み出されたレイアウト情報２３０に基づいて、指定された制御領域の制御区域を識別する。具体的には、レイアウト情報２３０に含まれる空調レイアウト情報２３２に基づいて、指定された制御領域の空調制御区域を識別する。また、レイアウト情報２３０に含まれる照明レイアウト情報２３３に基づいて、指定された制御領域の照度制御区域を識別する。
【００３９】
図６（ａ）は、ステップＳ５０４において識別された空調制御区域を示す図である。空調機器１３０が２台の場合、制御領域の一例である会議室は、２つの空調制御区域に分けられることとなる。
【００４０】
図６（ｂ）は、ステップＳ５０４において識別された照明制御区域を示す図である。照明機器１４０が１６箇所に設置されている場合、制御領域の一例である会議室は、１６個の照度制御区域に分けられることとなる。
【００４１】
図５の説明に戻る。ステップＳ５０５では、指定された制御領域の従業者情報２２０を読み出す。更に、ステップＳ５０６では、機器管理部２１０の顔認識部２１１が、指定された制御領域に設置されたテレビ会議システム１２０より撮影画像を取得し、取得した撮影画像と、従業者情報２２０とに基づいて顔認識処理を行う。これにより、指定された制御領域内にいる従業者を特定することができる。また、特定した各従業者の制御領域内における位置を特定する。
【００４２】
ステップＳ５０７では、環境管理処理を行う。具体的には、機器管理部２１０の環境管理部２１２が、指定された制御領域にいる従業者として特定された従業者の適正温度及び適正照度を、従業者情報２２０より抽出する。更に、抽出した適正温度及び適正照度に基づいて、指定された制御領域の目標温度及び目標照度を決定する。
【００４３】
ステップＳ５０８では、機器制御処理を行う。具体的には、ステップＳ５０７において決定された目標温度及び目標照度を実現するために、機器制御部２１３が、指定された制御領域内に設置された空調機器１３０及び照明機器１４０の温度設定値及び照度設定値を算出する。なお、空調機器及び照明機器が複数ある場合には、それぞれの空調機器及び照明機器の温度設定値及び照度設定値を算出する。更に、算出した温度設定値及び照度設定値を、制御情報として、それぞれの空調機器及び照明機器に送信する。
【００４４】
ステップＳ５０９では、指定された制御領域について、機器管理処理の終了指示がなされたか否かを判定する。ステップＳ５０５において、機器管理処理の終了指示がなされていないと判定した場合には、ステップＳ５０６に戻り、ステップＳ５０６からステップＳ５０９までの処理を繰り返す。なお、ステップＳ５０６からステップＳ５０９までの処理は、所定の制御周期（例えば、１秒周期）で実行されるものとする。
【００４５】
一方、ステップＳ５０９において機器管理処理の終了指示がなされたと判定した場合には、ステップＳ５１０に進む。
【００４６】
指定された制御領域についての機器管理処理の終了指示は、例えば、従業者が所定の端末を介して機器管理装置１１０にアクセスし、終了指示を入力するものとする。ただし、本発明はこれに限定されず、例えば、機器管理装置１１０の入出力部２０５を介して、従業者が、直接入力するように構成してもよい。
【００４７】
あるいは、予め、指定された制御領域についての利用時間を登録しておき、機器管理装置１１０が、当該利用時間の終了時刻に到達したと判断した場合に、終了指示がなされたと判定するように構成してもよい。
【００４８】
あるいは、ネットワーク１５０を介して接続されたテレビ会議システム１２０の電源がＯＦＦにされたり、撮影画像の送信が停止したりした場合に、終了指示がなされたと判定するように構成してもよい。
【００４９】
あるいは、指定された制御領域に設置された空調機器１３０及び照明機器１４０の電源が手動でＯＦＦにされたことを機器管理装置１１０が検知した場合に、終了指示がなされたと判定するように構成してもよい。
【００５０】
ステップＳ５１０では、終了処理を行う。ステップＳ５０９において、従業者が終了指示を入力した場合等にあっては、空調機器１３０及び照明機器１４０に対して、制御情報としてデフォルト値を送信する。これにより、指定された制御領域に設置された空調機器１３０及び照明機器１４０は、機器管理処理が開始される前の状態に戻る。
【００５１】
なお、終了処理はこれに限定されず、例えば、テレビ会議システム１２０、空調機器１３０及び照明機器１４０の電源をＯＦＦにする制御情報を送信するように構成してもよい。
【００５２】
＜顔認識部による顔認識処理の流れ＞
次に、顔認識部２１１による顔認識処理（ステップＳ５０６）の詳細について説明する。図７は、顔認識部２１１による顔認識処理（ステップＳ５０６）の詳細な流れを示すフローチャートである。
【００５３】
ステップＳ７０１では、テレビ会議システム１２０において撮影され、ネットワーク１５０を介して送信された撮影画像を取得する。図８は、取得した撮影画像８００の一例を示している。撮影画像８００の例では、６人の従業者が制御領域の一例である会議室にいる様子を示している。
【００５４】
ステップＳ７０２では、取得した撮影画像より、顔領域を抽出する。図８の撮影画像８００において、矩形領域８０１〜８０６は、抽出した顔領域を示している。なお、撮影画像８００より顔領域を抽出する技術は周知であるため、ここでは詳細な説明は省略する。
【００５５】
ステップＳ７０３では、ステップＳ７０２において抽出した各顔領域について、従業者情報２２０に基づいて顔認識処理を行う。ここでは、矩形領域８０１で示す顔領域の画像より抽出される特徴量と、従業者情報２２０に登録されている各顔画像より抽出される特徴量との類似度を算出する。そして、類似度が所定の閾値以上であって、かつ、最大の類似度を有する顔画像に対応付けられた識別番号を特定する。
【００５６】
ステップＳ７０４では、矩形領域８０１について、識別番号を特定することができたか否かを判定することで、顔認識処理が成功したか否かを判定する。例えば、従業者情報２２０に登録されている顔画像の中に、類似度が所定の閾値以上となる顔画像がない場合には、識別番号が特定できないため、顔認識処理が不成功と判定し、ステップＳ７０３に戻る。
【００５７】
一方、識別番号を特定することができた場合には、顔認識処理が成功したと判定し、ステップＳ７０５に進む。ステップＳ７０５では、特定した識別番号を従業者情報２２０より抽出する。
【００５８】
ステップＳ７０６では、ステップＳ７０２で抽出した矩形領域すべてについて、顔認識処理を行ったか否かを判定する。ステップＳ７０６において、顔認識処理を行っていない矩形領域があると判定された場合には、ステップＳ７０３に戻り、次の矩形領域について顔認識処理を行う。ここでは、矩形領域８０２で示す顔領域の画像より抽出される特徴量と、従業者情報２２０に登録されている各顔画像により抽出される特徴量との類似度を算出する。そして、類似度が所定の閾値以上であって、かつ、最大の類似度を有する顔画像に対応付けられた識別番号を特定する。
【００５９】
以下、同様に、矩形領域８０３〜８０６について順次顔認識処理を行い、全ての矩形領域について、顔認識処理を行ったと判定した場合には、ステップＳ７０７に進む。
【００６０】
ステップＳ７０７では、矩形領域８０１〜８０６の位置と、レイアウト情報２３０（具体的には、機器レイアウト情報２３１）とに基づいて、制御領域にいる各従業者が、制御領域内のどの位置にいるのかを示す位置情報を算出する。
【００６１】
図９は、ステップＳ７０７において算出された位置情報に基づいて、制御領域にいる各従業者の位置を、機器レイアウト情報２３１上に示した図である。図９の例では、矩形領域８０１〜８０６全てについて顔認識処理が成功し、識別番号が特定された場合を示している。このように、機器管理装置１１０では、顔認識処理（ステップＳ５０６）を実行することにより、どの従業者が制御領域のどこにいるのかを認識することができる。
【００６２】
＜環境管理部による環境管理処理の流れ＞
次に、環境管理部２１２による環境管理処理（ステップＳ５０７）の詳細について説明する。図１０は、環境管理部２１２による環境管理処理（ステップＳ５０７）の詳細な流れを示すフローチャートである。
【００６３】
ステップＳ１００１では、制御領域にいる従業者の識別番号及び従業者の位置情報を取得する。ステップＳ１００２では、制御領域にいる従業者が、適正温度及び適正照度を従業者情報２２０に登録しているか否か（あるいは、そもそも、制御領域の当該制御区域に従業者がいるか否か）を判定する。ステップＳ１００２において、制御領域にいるいずれの従業者も、適正温度及び適正照度を従業者情報２２０に登録していないと判定された場合（あるいは、当該制御区域に従業者がいないと判定された場合）には、ステップＳ１００３に進む。
【００６４】
ステップＳ１００３では、制御領域内の各空調制御区域の目標温度を、デフォルト値に決定する。また、制御領域内の各照明制御区域の目標照度を、デフォルト値に決定する。
【００６５】
一方、ステップＳ１００２において、制御領域内にいるいずれかの従業者が、適正温度または適正温度を従業者情報２２０に登録していると判定した場合には、ステップＳ１００４に進む。
【００６６】
ステップＳ１００４では、登録された適正温度または適正照度に、重み情報が対応付けて登録されているか否かを判定する。ステップＳ１００４において、重み情報が対応付けて登録されていると判定した場合には、ステップＳ１００５に進む。
【００６７】
ステップＳ１００５では、重み情報が対応付けて登録されている従業者が位置する制御区域の目標温度または目標照度を、当該従業者が従業者情報２２０に登録している適正温度または適正照度に基づいて決定する。
【００６８】
具体的には、重み情報が対応付けて登録されている従業者が位置する制御区域に、当該従業者のみがいる場合には、当該制御区域の目標温度または目標照度を、当該従業者が従業者情報２２０に登録している適正温度または適正照度に決定する。また、当該制御区域に、当該従業者と重み情報が対応付けて登録されていない従業者とがいる場合であっても、当該制御区域の目標温度または目標照度を、当該従業者が従業者情報２２０に登録している適正温度または適正照度に決定する。
【００６９】
更に、重み情報が対応付けて登録されている複数の従業者が同じ制御区域にいる場合には、当該制御区域の目標温度または目標照度を、最もレベルの高い重み情報が対応付けられている従業者が従業者情報２２０に登録している適正温度または適正照度に決定する。
【００７０】
更に、重み情報が対応付けて登録されている複数の従業者が同じ制御区域にいて、かつ最もレベルの高い重み情報を登録する従業者が複数いる場合には、当該制御区域の目標温度または目標照度を、当該従業者の適正温度の平均値または適正照度の平均値に決定する。
【００７１】
ステップＳ１００６では、重み情報が対応付けて登録されていない従業者のみが位置する空調制御区域の目標温度を決定する。具体的には、当該従業者が従業者情報２２０に登録している適正温度と、同一空調制御区域に位置する他の従業者が従業者情報２２０に登録している適正温度との平均値を算出し、これを目標温度に決定する。
【００７２】
同様に、重み情報が対応付けて登録されていない従業者のみが位置する照度制御区域の目標照度を決定する。具体的には、当該従業者が従業者情報２２０に登録している適正照度と、同一照度制御区域に位置する他の従業者が従業者情報２２０に登録している適正照度との平均値を算出し、これを目標照度に決定する。
【００７３】
図１１は、制御領域にいる各従業者が従業者情報２２０に登録している、適正温度３０３、適正温度の重み情報３０４及び適正照度３０５、適正照度の重み情報３０６を示した図である。更に、図１２は、図１１に示す適正温度、適正温度の重み情報及び適正照度、適正照度の重み情報に基づいて決定された、各制御区域（空調制御区域１〜２、照明制御区域１〜１６）の目標温度及び目標照度の一例を示す図である。
【００７４】
図１２に示すように、制御領域を構成する各制御区域のうち、従業者がいる位置に対応する制御区域は、各従業者が従業者情報２２０に登録した適正温度、適正温度の重み情報または適正照度、適正照度の重み情報に基づいて決定される。また、従業者がいない位置に対応する制御区域は、デフォルトの温度及び照度に基づいて決定される。
【００７５】
＜機器制御部による機器制御処理＞
次に、機器制御部２１３による機器制御処理（ステップＳ５０８）の詳細について説明する。図１３は、機器制御部２１３による機器制御処理（ステップＳ５０８）の詳細な流れを示すフローチャートである。
【００７６】
ステップＳ１３０１では、環境管理処理（ステップＳ５０７）において決定された各制御区域の目標照度を実現するための、照明機器１４０の照度設定値を算出する。各制御区域の照度は、各制御区域に設置された照明機器１４０の照度に加え、その周辺の制御区域に設置された照明機器１４０の照度の影響を受ける。このため、機器制御部２１３では、決定された各制御区域の目標照度が実現されるよう、周辺の制御区域も考慮にいれて、照明機器１４０の照度設定値を算出する。
【００７７】
ステップＳ１３０２では、環境管理処理（ステップＳ５０７）において決定された各制御区域の目標温度を実現するための、空調機器１３０の温度設定値を算出する。各制御区域の温度は、各制御区域に設置された空調機器１３０の温度に加え、隣の制御区域に設置された空調機器１３０の温度の影響を受ける。このため、機器制御部２１３では、決定された各制御区域の目標温度が実現されるように、隣の制御区域も考慮にいれて、空調機器１３０の温度設定値を算出する。
【００７８】
ステップＳ１３０３では、ステップＳ１３０１において算出した照度設定値を、制御情報として照明機器１４０に送信する。ステップＳ１３０４では、ステップＳ１３０２において算出した温度設定値を、制御情報として空調機器１３０に送信する。
【００７９】
なお、照明機器１４０では、受信した制御情報（照度設定値）に基づいて動作する。同様に、空調機器１３０では、受信した制御情報（温度設定値）に基づいて動作する。
【００８０】
＜まとめ＞
以上の説明から明らかなように、本実施形態に係る機器管理システムでは、
・オフィス内のすべての従業者について、従業者情報として顔画像を登録する構成とした。また、それぞれの従業者が快適と感じる適正温度及び適正照度、ならびにその重み情報を登録する構成とした。
・オフィス内の各制御領域についてのレイアウト情報として、機器レイアウト情報、空調レイアウト情報、照明レイアウト情報を格納し、各制御領域について、空調制御区域及び照度制御区域を識別する構成とした。
・各制御領域に設置されたテレビ会議システムを利用して各制御領域を撮影することで得られた撮影画像に基づいて、各制御領域にいる従業者を特定するとともに、特定した従業者の位置情報を算出する構成とした。
・各制御領域にいる従業者が登録した適正温度及び適正照度と、その重み情報と、各従業者の位置情報とに基づいて、各空調制御区域の目標温度と各照度制御区域の目標照度を決定する構成とした。
・決定した各空調制御区域の目標温度及び各照度制御区域の目標照度に基づいて、空調機器の温度設定値及び照明機器の照度設定値を算出し、制御情報として、空調機器及び照明機器に送信する構成とした。
【００８１】
これにより、制御領域における温度や照度等の作業環境を制御するにあたり、従業者の嗜好や属性等を加味して制御することが可能となる。この結果、個々の従業者の快適性を向上させることが可能となる。
【００８２】
［第２の実施形態］
上記第１の実施形態では、機器管理装置１１０が、空調機器１３０の温度設定値を制御する構成としたが、本発明はこれに限定されず、例えば、空調機器１３０の風向設定値もあわせて制御するように構成してもよい。
【００８３】
また、上記第１の実施形態では、制御領域にいるすべての従業者について顔認識処理が成功した場合について説明したが、本発明はこれに限定されず、例えば、顔認識処理が成功しない場合も考えられる。この場合、顔認識処理が成功しなかった従業者については、適正温度及び適正照度を抽出することができない。このため、当該従業者がいる制御区域は、デフォルト値が目標温度及び目標照度として決定されることとなる。ただし、同じ制御領域に、顔認識処理が成功した他の従業者がいる場合には、当該他の従業者の適正温度及び適正照度が、目標温度及び目標照度として決定されることとなる。
【００８４】
また、上記第１の実施形態では、制御領域にいるすべての従業者が、機器管理処理の間、同じ位置にいることを前提として説明したが、本発明はこれに限定されない。例えば、制御領域にいる従業者が、同一制御領域内の他の位置（他の制御区域）に移動した場合には、移動後の撮像画像に基づいて、機器管理処理が実行される。また、制御領域にいる従業者が、当該制御領域外に移動した場合には、移動後の撮像画像（つまり、移動した従業者が含まれない撮像画像）に基づいて、機器管理処理が実行される。
【００８５】
このように、機器管理装置１１０により実行される機器管理処理は、従業者の移動に応じて、動的に、各制御区域の温度設定値及び照度設定値を算出することができる。
【００８６】
また、上記第１の実施形態では、１つのオフィスにおける従業者を対象として機器管理処理を実行する構成としたが、本発明はこれに限定されない。例えば、１つのフロアまたは１つの建物に複数のオフィスが含まれる場合には、複数のオフィスの従業者を対象として機器管理処理を実行するように構成してもよい。
【００８７】
また、上記第１の実施形態では、オフィス等を対象として機器管理処理を実行する構成としたが、本発明はこれに限定されない。例えば、オフィス等以外の屋内商業施設を対象として機器管理処理を実行する構成としてもよい。
【００８８】
また、上記第１の実施形態では、従業者情報２２０として、各従業者が適正温度及び適正照度を１つずつ登録する構成としたが、本発明はこれに限定されない。例えば、オフィス内に複数の作業空間がある場合には、各作業空間について、適正温度及び適正照度を登録するように構成してもよい。
【００８９】
また、上記第１の実施形態では、１つの制御領域を空調機器及び照明機器の数に応じて複数の制御区域にわけて、それぞれに目標温度及び目標照度を決定する構成としたが、本発明はこれに限定されない。空調機器及び照明機器の数と関係なく、１つの制御区域として、目標温度及び目標照度を決定するように構成してもよい。
【００９０】
なお、上記第１の実施形態では、機器管理装置１１０が機器管理部２１０及び従業者情報２２０、レイアウト情報２３０を有する構成としたが、本発明はこれに限定されない。例えば、ネットワーク１５０に接続された他の装置が、機器管理部２１０（または機器管理部２１０の一部の機能）、従業者情報２２０、レイアウト情報２３０を有していてもよい。
【００９１】
［第３の実施形態］
上記第１及び第２の実施形態では、制御情報を空調機器や照明機器等に送信するまでの処理を機器管理部２１０が実行するように構成したが、本発明はこれに限定されない。例えば、空調機器や照明機器等へ送信した制御情報を用いて、更に、機器制御処理の履歴を管理するなどの処理を実行するように構成してもよい。
【００９２】
図１４は、機器管理部１４１０の他の機能構成を示す図である。図１４に示すように、機器管理部１４１０は、顔認識部２１１、環境管理部２１２、機器制御部２１３に加え、更に、制御履歴管理部１４１１、料金情報生成部１４１２を有する。
【００９３】
制御履歴管理部１４１１は、機器制御部２１３による機器制御処理の履歴を管理する。具体的には、図５のステップＳ５１０において終了処理が行われた場合に、制御履歴管理部１４１１では、実行した機器制御処理の内容を制御履歴情報として記憶装置２０４に格納する。
【００９４】
料金情報生成部１４１２は、制御履歴管理部１４１１が管理する制御履歴情報と予め定められた料金情報（不図示）とを用いて、所定の制御領域における利用料金情報を生成する。また、生成した利用料金情報を、通信部２０６を介して所定の出力先に出力する。
【００９５】
このように、機器管理装置１１０が実行した機器制御処理の履歴を制御履歴情報として管理することで、当該制御履歴情報を用いた種々の処理を実現することが可能となる。
【００９６】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００９７】
１００          ：機器管理システム
１１０          ：機器管理装置
１２０          ：テレビ会議システム
１３０          ：空調機器
１４０          ：照明機器
１５０          ：ネットワーク
２０１          ：ＣＰＵ
２０２          ：ＲＯＭ
２０３          ：ＲＡＭ
２０４          ：記憶装置
２０５          ：入出力部
２０６          ：通信部
２１０          ：機器管理部
２１１          ：顔認識部
２１２          ：環境管理部
２１３          ：機器制御部
２２０          ：従業者情報
２３０          ：レイアウト情報
２３１          ：機器レイアウト情報
２３２          ：空調レイアウト情報
２３３          ：照明レイアウト情報
８００          ：撮影画像
８０１〜８０６  ：矩形領域
１４１０        ：機器管理部
１４１１        ：制御履歴管理部
１４１２        ：料金情報生成部
【先行技術文献】
【特許文献】
【００９８】
【特許文献１】特開２００４−３６０９２５号公報
【図１】
2015087102.tif 000003
【図２】
2015087102.tif 000004
【図３】
2015087102.tif 000005
【図４】
2015087102.tif 000006
【図５】
2015087102.tif 000007
【図６】
2015087102.tif 000008
【図７】
2015087102.tif 000009
【図８】
2015087102.tif 000010
【図９】
2015087102.tif 000011
【図１０】
2015087102.tif 000012
【図１１】
2015087102.tif 000013
【図１２】
2015087102.tif 000014
【図１３】
2015087102.tif 000015
【図１４】
2015087102.tif 000016